(57)【要約】【課題】履歴を容易に確認することができる技術を提供する。【解決手段】制御部１０と、加速度センサ２０と、報知部４０と、記憶部３０と、を備え、上記制御部１０は、ユーザが対応しなかった未対応イベントに関する履歴を管理し、上記未対応イベントに関する履歴情報を上記記憶部３０に記録し、上記加速度センサ２０が検出した検出した振動パターンに応じて、上記履歴を参照して、上記未対応イベントに関する履歴情報を上記報知部４０に報知させる。【選択図】図１
2018198371.tif 000002
【特許請求の範囲】
【請求項１】
制御部と、加速度センサと、報知部と、記憶部と、を備えた情報処理装置であって、
上記制御部は、
ユーザが対応しなかった未対応イベントに関する履歴を管理し、
上記未対応イベントに関する履歴情報を上記記憶部に記録し、
上記加速度センサが検出した振動パターンに応じて、上記履歴を参照して、上記未対応イベントに関する履歴情報を上記報知部に報知させる
ことを特徴とする情報処理装置。
【請求項２】
上記報知部は、バイブレーションユニットと、スピーカとであり、
上記制御部は、
上記バイブレーションユニットによる振動、および、上記スピーカからの音声出力の少なくとも何れか一方の態様で上記未対応イベントに関する履歴情報を報知する
ことを特徴とする請求項１に記載の情報処理装置。
【請求項３】
上記制御部は、上記未対応イベントの種別に応じた報知方法にて上記履歴情報を報知することを特徴とする請求項１または２に記載の情報処理装置。
【請求項４】
上記制御部は、上記未対応イベントの種別に応じた画面を表示することによって上記未対応イベントに関する履歴情報を報知することを特徴とする請求項１から３の何れか一項に記載の情報処理装置。
【請求項５】
ユーザが対応しなかった未対応イベントに関する履歴を管理するステップと、
上記未対応イベントに関する履歴情報を記録するステップと、
振動を検出するステップと、
検出した上記振動のパターンに応じて、記録した上記履歴情報を参照して、上記未対応イベントに関する履歴情報を報知するステップと、を有している
ことを特徴とする情報処理装置の制御方法。
【請求項６】
請求項１に記載の情報処理装置としてコンピュータを機能させるためのプログラム。
【発明の詳細な説明】
【技術分野】
【０００１】
本発明は、情報処理装置、情報処理装置の制御方法、および、情報処理装置としてコンピュータを機能させるためのプログラムに関する。
【背景技術】
【０００２】
従来、筐体を軽打するタップ操作のタップ操作箇所やタップ操作回数に応じて、起動させるアプリケーションプログラムや情報処理を指定可能としている携帯型の情報処理装置が知られている（例えば、特許文献１参照）。
【０００３】
特許文献１に記載の情報処理装置では、音声電話、或いは、テレビ電話の着信を検出した場合に、スピーカを介して着信音を出力し、バイブレーションユニットを振動駆動する。そして、ユーザによるタップ操作に応じて、着信音の出力およびバイブレーションユニットの振動駆動を停止する。
【先行技術文献】
【特許文献】
【０００４】
【特許文献１】特開２００９−２７８２９４号公報（２００９年１１月２６日公開）
【発明の概要】
【発明が解決しようとする課題】
【０００５】
ところで、携帯型の情報処理装置では、ユーザが着信音や振動駆動による着信報知に気付かない場合がある。着信終了後にユーザが着信の有無を確認するためには、携帯型の情報処理装置をいったんポケットや鞄から取り出して、履歴を確認する必要があり、確認が手間であった。
【０００６】
本発明は、上述した事情に鑑みてなされたものであり、履歴を容易に確認することができる技術を提供する。
【課題を解決するための手段】
【０００７】
上記の課題を解決するために、本発明に係る情報処理装置は、制御部と、加速度センサと、報知部と、記憶部と、を備えた情報処理装置であって、上記制御部は、ユーザが対応しなかった未対応イベントに関する履歴を管理し、上記未対応イベントに関する履歴情報を上記記憶部に記録し、上記加速度センサが検出した振動パターンに応じて、上記履歴を参照して、上記未対応イベントに関する履歴情報を上記報知部に報知させる。
【発明の効果】
【０００８】
本発明の一態様によれば、履歴を容易に確認することができる。
【図面の簡単な説明】
【０００９】
【図１】実施形態１に係る情報処理装置１の要部構成を示すブロック図である。
【図２】情報処理装置１における履歴を報知する処理の流れを示すフローチャートである。
【図３】実施形態２に係る携帯型端末１Ａの要部構成を示すブロック図である。
【図４】携帯型端末１Ａにおける履歴を報知する処理の流れを示すフローチャートである。
【図５】実施形態２に係る携帯型端末１Ｂの要部構成を示すブロック図である。
【図６】携帯型端末１Ｂにおける履歴を報知する処理の流れを示すフローチャートである。
【発明を実施するための形態】
【００１０】
〔実施形態１〕
以下、本発明の第１の実施の形態について、図１〜図２を参照して詳細に説明する。
【００１１】
本実施形態に係る情報処理装置１は、イベント発生をユーザに報知して、発生したイベントに対して、ユーザに対応を促す装置である。情報処理装置１としては、例えば、携帯電話機などの携帯型の電子機器がある。携帯電話機としての情報処理装置１では、例えば、着信というイベントが発生した場合に、着信音を出力したり、バイブレーションユニットを振動させたりという報知方法を用いて、着信というイベントに対して、ユーザに対応を促す。
【００１２】
〔情報処理装置１の構成〕
次に、図１を参照して、情報処理装置１の構成について説明する。図１は、情報処理装置１の要部構成を示すブロック図である。図１に示すように、情報処理装置１は、制御部１０、加速度センサ２０、記憶部３０、報知部４０を含む。
【００１３】
加速度センサ２０は、情報処理装置１に対して加えられた振動、衝撃、傾きなどを測定して、測定結果に応じた電気信号を制御部１０に供給する。
【００１４】
記憶部３０は、ＲＡＭ等の読み書き可能なメモリから構成されている。記憶部３０には、制御部１０で処理される各種データやプログラムなどが記録されている。記憶部３０は、後述する所定パターン記憶部３１と、イベント履歴記憶部３２と、を含んでいる。
【００１５】
報知部４０は、スピーカや、バイブレーションユニット、表示ディスプレイ、点滅灯等を含む。報知部４０は、制御部１０から供給される出力信号に応じて音声データの出力、振動駆動、ディスプレイ表示、ライトの点滅等の態様で、ユーザによる対応が必要なイベントが発生していることをユーザに報知する。
【００１６】
制御部１０は、情報処理装置１における各種処理を統括して制御するものであり、振動検出部１１、履歴管理部１２、報知制御部１３を含む。
【００１７】
制御部１０の振動検出部１１、履歴管理部１２、報知制御部１３等の機能は、例えばＣＰＵが、ＲＯＭに記憶されているプログラムをＲＡＭに読み出して実行することで実現することができる。制御部１０は、処理対象のイベントが発生した場合に、ユーザに、例えば振動や音声によって、イベント対応が必要であることを報知する。情報処理装置１が携帯電話機である場合、処理対象のイベントは、例えば、電話の着信、メールの受信、スケジュールを通知するアラームの発動などである。制御部１０は、処理対象のイベントに対してユーザが対応したか否かに応じて適宜の処理を行う。
【００１８】
制御部１０は、処理対象のイベントとして例えば電話の着信があった場合に、着信音や振動を用いて、ユーザに着信というイベントへの対応を促す。ユーザが着信というイベントに対応した場合には、制御部１０は、電話網を介して通話信号を送受信し、音声通話を行う。
【００１９】
また、制御部１０は、ユーザが着信というイベントに対応しない場合には、着信に関する履歴、例えば、着信時間や着信元の番号等の履歴情報を履歴管理部１２の機能により、記憶部３０に記憶する。なお、制御部１０は、予め設定された呼び出し時間内にユーザが着信に応答しない場合や、ユーザが着信拒否の操作を行った場合に、ユーザが着信というイベントに対応しなかったと判定する。
【００２０】
振動検出部１１は、加速度センサ２０から供給される、加速度センサ２０の出力信号を参照して、情報処理装置１に対して与えられた振動を検出する。また、振動検出部１１は、記憶部３０の所定パターン記憶部３１を参照して、情報処理装置１に対して与えられた振動は、ユーザ操作によるものか否かを判定する。記憶部３０の所定パターン記憶部３１には、情報処理装置１に対してユーザが振動を与えることによる入力操作の振動パターンが記憶されている。振動検出部１１は、所定パターン記憶部３１に記憶された振動パターンと、加速度センサ２０か供給された信号とを比較して、ユーザにより装置に対して与えられた振動が、所定パターン記憶部３１に記憶された所定の振動パターンと合致した場合に、ユーザ操作を検出する。
【００２１】
所定パターン記憶部３１に記憶された所定の振動パターンは、例えば、情報処理装置１に対するタップの回数（ダブルタップ等）、タップのパターン、等の振動パターンのうちの少なくとも一つの振動パターンである。所定パターン記憶部３１には、ユーザが任意に設定した少なくとも一つの振動パターンが記憶されていてもよい。
【００２２】
履歴管理部１２は、情報処理装置１が処理するイベントに関する情報を管理する。履歴管理部１２は、特に、情報処理装置１が処理するイベントが発生した場合であって、発生したイベントに対するユーザ操作が行われない場合に、この未対応イベントに関する履歴の情報を記憶部３０のイベント履歴記憶部３２に記憶する。
【００２３】
また、履歴管理部１２は、ユーザ操作に応じて、記憶部３０のイベント履歴記憶部３２に記憶したイベントに関する履歴の情報を読み出す。このように履歴管理部１２は、記憶部３０のイベント履歴記憶部３２に対する情報の書き込み、および、読出しを行う。
【００２４】
そして、履歴管理部１２は、ユーザ操作に応じて記憶部３０のイベント履歴記憶部３２から読み出した、未対応イベントに関する履歴の情報を報知制御部１３に供給する。
【００２５】
報知制御部１３は、履歴管理部１２から供給された履歴の情報に応じて、報知部４０を駆動して、ユーザに対しては、未対応イベントに関する履歴の情報を報知する。
【００２６】
報知部４０は、報知制御部１３から供給される制御信号に応じて、例えば振動や音声によって、ユーザに未対応イベントに関する履歴の情報を報知する。
【００２７】
〔未対応イベントに関する履歴情報を出力する処理の流れ〕
次に、図２を参照して、情報処理装置１における未対応イベントに関する履歴情報を出力する処理について説明する。
【００２８】
（ステップＳ１０１）
ステップＳ１０１にて、情報処理装置１において、制御部１０が処理を行う処理対象のイベントが発生する。
【００２９】
（ステップＳ１０２）
制御部１０は、ステップＳ１０１で発生したイベントに対してユーザが対応したか否かを判定する。ユーザがイベントに対応したと判定した場合には（ステップＳ１０２でＹＥＳ）、制御部１０はステップＳ１０３に進む。ユーザがイベントに対応しなかったと判定した場合には（ステップＳ１０２でＮＯ）、制御部１０はステップＳ１０４に進む。
【００３０】
（ステップＳ１０３）
制御部１０は、ユーザが対応したイベントに応じた適宜の処理を行う。
【００３１】
（ステップＳ１０４）
制御部１０の履歴管理部１２は、イベントに関する履歴情報を記憶部３０のイベント履歴記憶部３２に記憶する。
【００３２】
（ステップＳ１０５）
制御部１０の振動検出部１１は、加速度センサ２０から供給される出力信号と、所定パターン記憶部３１に記憶された所定の振動パターンと、を参照して、所定の振動パターンが検出されたか否かを判定する。制御部１０は、所定の振動パターンが検出されるまで、所定の振動パターンが検出されたか否かの判定を繰り返し行う（ステップＳ１０５でＮＯ）。所定の振動パターンの振動があると判定すると（ステップＳ１０５でＹＥＳ）、制御部１０はステップＳ１０６に進む。
【００３３】
（ステップＳ１０６）
制御部１０の報知制御部１３は、履歴管理部１２がイベント履歴記憶部３２から読み出した未対応イベントの履歴情報に応じて、報知部４０からユーザに未対応イベントがある旨を報知する。
【００３４】
〔付記事項〕
これらの構成によれば、情報処理装置１は、処理対象のイベントが発生した場合に、ユーザがイベントに対応しなかった場合には、その未対応のイベントに関する履歴の情報を記憶する。ユーザは、情報処理装置１に対して所定の振動パターンの振動を与えるという簡単な操作で、未対応イベントの有無と、未対応イベントの履歴に関する情報を知ることができる。
【００３５】
〔実施形態２〕
本発明の実施形態２について、図３〜図４に基づいて説明すれば、以下のとおりである。なお、説明の便宜上、前記実施形態にて説明した部材と同じ機能を有する部材については、同じ符号を付記し、その説明を省略する。
【００３６】
この実施形態２では、情報処理装置１の具体例として、通信網５を介して通信信号の送受信を行い、音声通話、および、メールの送受信の少なくとも何れか一方を行うことができる携帯型端末１Ａについて説明する。携帯型端末１Ａは、複数のイベント種別の各々に応じた報知方法で、未対応イベントに関する履歴を報知する。
【００３７】
〔携帯型端末１Ａの構成〕
図３は、情報処理装置１の具体例である携帯型端末１Ａの要部構成を示すブロック図である。
【００３８】
携帯型端末１Ａは、通信網５を介して通信信号の送受信を行い、音声通話やメールの送受信を可能とする機器である。なお、携帯型端末１Ａの通信網５を用いた通信機能については、公知技術を用いて実行可能であるので、その説明は省略する。
【００３９】
携帯型端末１Ａでは、通話の着信、メールの受信、ユーザのスケジュールに応じたアラームの発動などのユーザ対応が必要なイベントが発生する。
【００４０】
携帯型端末１Ａの制御部１０は、無線通信により通信網５と通信して、通信網５との間で通信信号の送受信を行う通信部１８を備えている。
【００４１】
通信部１８は、通信網５を介して受信した通信信号に基づいて音声通話やメールの送受信に係る、送受信時間、送受信先の電話番号やメールアドレスなどの履歴情報を履歴管理部１２に供給する。
【００４２】
報知制御部１３は、振動制御部１４と、音声出力制御部１５と、を含んでいる。
【００４３】
報知部４０は、バイブレーションユニット４１と、スピーカ４２と、を含んでいる。
【００４４】
振動制御部１４は、バイブレーションユニット４１に制御信号を供給して、バイブレーションユニット４１は、振動制御部１４から供給された制御信号に応じて、振動駆動する。振動制御部１４は、バイブレーションユニット４１を振動駆動することで、通話やメールの着信をユーザに報知したり、未対応イベントの履歴に応じた報知を行ったりする。
【００４５】
音声出力制御部１５は、スピーカ４２に制御信号を供給して、スピーカ４２から着信音の出力を行ったり、未対応イベントの履歴に応じた音声出力による報知を行ったりする。
【００４６】
報知制御部１３は、未対応イベントの種別に応じて、報知方法を変更して、ユーザに未対応イベントの履歴を報知する。報知制御部１３は、例えば、未対応イベントが着信履歴である場合には、バイブレーションユニット４１を３回振動駆動させる制御信号を、振動制御部１４からバイブレーションユニット４１に供給する構成であってもよい。また、報知制御部１３は、例えば、未対応イベントがメール履歴である場合には、バイブレーションユニット４１を２回振動駆動させる制御信号を、振動制御部１４からバイブレーションユニット４１に供給する構成であってもよい。また、報知制御部１３は、例えば、未対応イベントがアラーム履歴である場合には、バイブレーションユニット４１を１回振動駆動させる制御信号を、振動制御部１４からバイブレーションユニット４１に供給する構成であってもよい。
【００４７】
また、報知制御部１３は、例えば、未対応イベントが着信履歴である場合には、「着信がありました」という音声案内をスピーカ４２からする制御信号を、音声出力制御部１５からスピーカ４２に供給する構成であってもよい。また、報知制御部１３は、例えば、未対応イベントがメール履歴である場合には、「メールがありました」という音声案内をスピーカ４２からする制御信号を、音声出力制御部１５からスピーカ４２に供給する構成であってもよい。また、報知制御部１３は、例えば、未対応イベントがアラーム履歴である場合には、「アラームがありました」という音声案内をスピーカ４２からする音声信号を、音声出力制御部１５からスピーカ４２に供給する構成であってもよい。
【００４８】
〔未対応イベントの種別に応じた報知方法で履歴情報を出力する処理の流れ〕
次に、図４を参照して、携帯型端末１Ａにおける未対応イベントの種別に応じた報知方法で履歴情報を出力する処理について説明する。
【００４９】
（ステップＳ２０１）
ステップＳ２０１にて、携帯型端末１Ａにおいて、制御部１０が処理を行う処理対象のイベントが発生する。
【００５０】
（ステップＳ２０２）
制御部１０は、ステップＳ２０１で発生したイベントに対してユーザが対応したか否かを判定する。ユーザがイベントに対応したと判定した場合には（ステップＳ２０２でＹＥＳ）、制御部１０はステップＳ２０３に進む。ユーザがイベントに対応しなかったと判定した場合には（ステップＳ２０２でＮＯ）、制御部１０はステップＳ１０４に進む。
【００５１】
（ステップＳ２０３）
制御部１０は、ユーザが対応したイベントに応じた適宜の処理を行う。
【００５２】
（ステップＳ２０４）
制御部１０の履歴管理部１２は、イベントに関する履歴情報を記憶部３０のイベント履歴記憶部３２に記憶する。
【００５３】
（ステップＳ２０５）
制御部１０の振動検出部１１は、加速度センサ２０から供給される出力信号と、所定パターン記憶部３１に記憶された所定の振動パターンと、を参照して、所定の振動パターンが検出されたか否かを判定する。制御部１０は、所定の振動パターンが検出されるまで、所定の振動パターンが検出されたか否かの判定を繰り返し行う（ステップＳ２０５でＮＯ）。所定の振動パターンが検出されたと判定すると（ステップＳ２０５でＹＥＳ）、制御部１０はステップＳ２０６、ステップＳ２０８、ステップＳ２１０に進む。
【００５４】
制御部１０はステップＳ２０６、ステップＳ２０８、ステップＳ２１０の各ステップを同時に処理する構成であってもよいし、順に処理をする（例えば、ステップＳ２０６でＮＯであれば、ステップＳ２０８に進む等の処理の流れ）構成であってもよい。本実施形態では、制御部１０はステップＳ２０６、ステップＳ２０８、ステップＳ２１０の各ステップを同時に処理する場合を例に説明する。
【００５５】
（ステップＳ２０６）
制御部１０の履歴管理部１２は、イベント履歴記憶部３２に記憶された未対応イベントの履歴を参照して、未対応イベントが着信履歴であるか否かを判定する。制御部１０の履歴管理部１２は、未対応イベントが着信履歴であると判定すると（ステップＳ２０６でＹＥＳ）、ステップＳ２０７に進む。制御部１０の履歴管理部１２は、未対応イベントが着信履歴ではないと判定した場合には、処理を終了する。
【００５６】
（ステップＳ２０７）
制御部１０の報知制御部１３は、履歴管理部１２がイベント履歴記憶部３２から読み出した未対応イベントの種別である着信履歴に応じた報知方法でユーザに履歴を報知する。報知制御部１３は、報知部４０からユーザに未対応の着信履歴がある旨を知らせる着信報知を行う。
【００５７】
報知制御部１３は、振動制御部１４がバイブレーションユニット４１に供給する制御信号に応じてバイブレーションユニット４１を振動駆動させることで、ユーザに着信報知を行う。また、報知制御部１３は、音声出力制御部１５がスピーカ４２に供給する音声信号に応じてスピーカ４２から音声案内を行って、ユーザに着信報知を行う。
【００５８】
このように、制御部１０の報知制御部１３は、バイブレーションユニット４１の振動駆動、および、スピーカ４２からの音声案内の少なくとも何れか一方の態様でユーザに着信報知を行う。
【００５９】
（ステップＳ２０８）
制御部１０の履歴管理部１２は、イベント履歴記憶部３２に記憶された未対応イベントの履歴を参照して、未対応イベントがメール履歴であるか否かを判定する。制御部１０の履歴管理部１２は、未対応イベントがメール履歴であると判定すると（ステップＳ２０８でＹＥＳ）、ステップＳ２０９に進む。制御部１０の履歴管理部１２は、未対応イベントがメール履歴ではないと判定した場合には、ステップＳ２０６に進む。
【００６０】
（ステップＳ２０９）
制御部１０の報知制御部１３は、履歴管理部１２がイベント履歴記憶部３２から読み出した未対応イベントの種別であるメール履歴に応じた報知方法でユーザに履歴を報知する。報知制御部１３は、報知部４０からユーザに未対応のメール履歴がある旨を知らせる着信報知を行う。
【００６１】
報知制御部１３は、振動制御部１４がバイブレーションユニット４１に供給する制御信号に応じてバイブレーションユニット４１を振動駆動させることで、ユーザにメール報知を行う。また、報知制御部１３は、音声出力制御部１５がスピーカ４２に供給する音声信号に応じてスピーカ４２から音声案内を行って、ユーザにメール報知を行う。
【００６２】
このように、制御部１０の報知制御部１３は、バイブレーションユニット４１の振動駆動、および、スピーカ４２からの音声案内の少なくとも何れか一方でユーザにメール報知を行う。
【００６３】
（ステップＳ２１０）
制御部１０の履歴管理部１２は、イベント履歴記憶部３２に記憶された未対応イベントの履歴を参照して、未対応イベントがアラーム履歴であるか否かを判定する。制御部１０の履歴管理部１２は、未対応イベントがアラーム履歴であると判定すると（ステップＳ２１０でＹＥＳ）、ステップＳ２１１に進む。制御部１０の履歴管理部１２は、未対応イベントがメール履歴ではないと判定した場合には、ステップＳ２０６に進む。
【００６４】
（ステップＳ２１１）
制御部１０の報知制御部１３は、履歴管理部１２がイベント履歴記憶部３２から読み出した未対応イベントの種別であるアラーム履歴に応じた報知方法でユーザに履歴を報知する。報知制御部１３は、報知部４０からユーザに未対応のアラーム履歴がある旨を知らせる着信報知を行う。
【００６５】
報知制御部１３は、振動制御部１４がバイブレーションユニット４１に供給する制御信号に応じてバイブレーションユニット４１を振動駆動させることで、ユーザにアラーム報知を行う。また、報知制御部１３は、音声出力制御部１５がスピーカ４２に供給する音声信号に応じてスピーカ４２から音声案内を行って、ユーザにアラーム報知を行う。
【００６６】
このように、制御部１０の報知制御部１３は、バイブレーションユニット４１の振動駆動、および、スピーカ４２からの音声案内の少なくとも何れか一方でユーザに着信報知を行う。
【００６７】
〔付記事項〕
これらの構成によれば、情報処理装置１は、ユーザが対応しなかった未対応イベントが有る場合に、ユーザによって所定の振動パターンが与えられることで、未対応イベントの種別に応じた報知方法で履歴報知を行う。よって、ユーザは、情報処理装置１に所定の振動パターンを与えるという簡単な操作で、未対応イベントの種別ごとの履歴を容易に確認することができる。
【００６８】
なお、種別の異なる複数の未対応イベントが有る場合には、報知制御部１３は、各未対応イベントの種別に応じた報知方法による未対応イベントの履歴の報知を連続して行う構成であってもよい。例えば、報知制御部１３は、着信履歴、メール履歴、アラーム履歴の未対応イベントが有る場合には、バイブレーションユニット４１を３回振動駆動させ、続いて、バイブレーションユニット４１を２回振動駆動させ、更に、バイブレーションユニット４１を１回振動駆動させて、ユーザに未対応イベントの履歴を報知してもよい。
【００６９】
〔実施形態３〕
本発明の実施形態２について、図５〜図６に基づいて説明すれば、以下のとおりである。なお、説明の便宜上、前記実施形態にて説明した部材と同じ機能を有する部材については、同じ符号を付記し、その説明を省略する。
【００７０】
この実施形態３では、情報処理装置１の具体例として、通信網５を介して通信信号の送受信を行い、音声通話、および、メールの送受信の少なくとも何れか一方を行うことができる携帯型端末１Ｂについて説明する。携帯型端末１Ｂは、複数のイベント種別の各々に応じた報知方法で、未対応イベントに関する履歴を報知する。
【００７１】
〔携帯型端末１Ｂの構成〕
図５は、情報処理装置１の具体例である携帯型端末１Ｂの要部構成を示すブロック図である。
【００７２】
携帯型端末１Ｂは、通信網５を介して通信信号の送受信を行い、音声通話やメールの送受信を可能とする機器である。なお、携帯型端末１Ｂの通信網を用いた通信機能については、公知技術を用いて実行可能であるので、その説明は省略する。
【００７３】
携帯型端末１Ｂでは、通話の着信、メールの受信、ユーザのスケジュールに応じたアラームの発動などのユーザ対応が必要なイベントが発生する。
【００７４】
報知制御部１３は、振動制御部１４と、音声出力制御部１５と、に加えてタッチパネル制御部１７を含んでいる。
【００７５】
報知部４０は、バイブレーションユニット４１と、スピーカ４２と、に加えてタッチパネル４３を含んでいる。
【００７６】
タッチパネル制御部１７は、タッチパネル４３に画像信号を供給して、タッチパネル４３に画像信号に応じたディスプレイ表示を行う。タッチパネル制御部１７は、タッチパネル４３にディスプレイすることで、通話やメールの着信をユーザに報知したり、未対応イベントの履歴に応じた報知を行ったりする。
【００７７】
また、タッチパネル制御部１７は、タッチパネル４３を介して行われたユーザ操作を検出して、ユーザ操作に応じた処理を行う。ユーザはタッチパネル４３を介して通話の開始や、メール送信を行うことができる。タッチパネル制御部１７は、タッチパネル４３に対するユーザ操作に応じて、通信部１８から通信網５への通信信号の送受信を開始する。
【００７８】
報知制御部１３は、未対応イベントの種別に応じて、報知方法を変更して、ユーザに未対応イベントの履歴を通知するとともに、ユーザが未対応イベントに容易に対応することができるように、未対応イベントの種別に応じた表示画面を表示するべく報知部４０の各部を制御する。
【００７９】
〔未対応イベントの種別に応じた表示画面を表示する処理の流れ〕
次に、図６を参照して、携帯型端末１Ｂにおける未対応イベントの種別に応じて、未対応イベントにユーザが容易に対応することができるように履歴を報知する処理について説明する。
【００８０】
（ステップＳ３０１）
ステップＳ３０１にて、携帯型端末１Ｂにおいて、制御部１０が処理を行う処理対象のイベントが発生する。
【００８１】
（ステップＳ３０２）
制御部１０は、ステップＳ３０１で発生したイベントに対してユーザが対応したか否かを判定する。ユーザがイベントに対応したと判定した場合には（ステップＳ３０２でＹＥＳ）、制御部１０はステップＳ３０３に進む。ユーザがイベントに対応しなかったと判定した場合には（ステップＳ３０２でＮＯ）、制御部１０はステップＳ３０４に進む。
【００８２】
（ステップＳ３０３）
制御部１０は、ユーザが対応したイベントに応じた適宜の処理を行う。
【００８３】
（ステップＳ３０４）
制御部１０の履歴管理部１２は、イベントに関する履歴情報を記憶部３０のイベント履歴記憶部３２に記憶する。
【００８４】
（ステップＳ３０５）
制御部１０の振動検出部１１は、加速度センサ２０から供給される出力信号と、所定パターン記憶部３１に記憶された所定の振動パターンと、を参照して、所定の振動パターンが検出されたか否かを判定する。制御部１０は、所定の振動パターンが検出されるまで、所定の振動パターンが検出されたか否かの判定を繰り返し行う（ステップＳ３０５でＮＯ）。所定の振動パターンが検出されたと判定すると（ステップＳ３０５でＹＥＳ）、制御部１０はステップＳ３０６、ステップＳ３０９、ステップＳ３１２に進む。
【００８５】
制御部１０はステップＳ３０６、ステップＳ３０９、ステップＳ３１２の各ステップを同時に処理する構成であってもよいし、順に処理をする（例えば、ステップＳ３０６でＮＯであれば、ステップＳ３０９に進む等の処理の流れ）構成であってもよい。本実施形態では、制御部１０はステップＳ３０６、ステップＳ３０９、ステップＳ３１２の各ステップを同時に処理する場合を例に説明する。
【００８６】
（ステップＳ３０６）
制御部１０の履歴管理部１２は、イベント履歴記憶部３２に記憶された未対応イベントの履歴を参照して、未対応イベントが着信履歴であるか否かを判定する。制御部１０の履歴管理部１２は、未対応イベントが着信履歴であると判定すると（ステップＳ３０６でＹＥＳ）、ステップＳ３０７に進む。制御部１０の履歴管理部１２は、未対応イベントが着信履歴ではないと判定した場合には、処理を終了する。
【００８７】
（ステップＳ３０７）
制御部１０の報知制御部１３は、履歴管理部１２がイベント履歴記憶部３２から読み出した未対応イベントの種別である着信履歴に応じた報知方法でユーザに履歴を報知する。報知制御部１３は、報知部４０からユーザに未対応の着信履歴がある旨を知らせる着信報知を行う。
【００８８】
報知制御部１３は、振動制御部１４がバイブレーションユニット４１に供給する制御信号に応じてバイブレーションユニット４１を振動駆動させることで、ユーザに着信報知を行う。また、報知制御部１３は、音声出力制御部１５がスピーカ４２に供給する音声信号に応じてスピーカ４２から音声案内を行って、ユーザに着信報知を行う。また、報知制御部１３は、タッチパネル制御部１７がタッチパネル４３に供給する画像信号に応じてタッチパネル４３にディプスレイ表示を行って、ユーザに着信報知を行う。
【００８９】
このように、制御部１０の報知制御部１３は、バイブレーションユニット４１の振動駆動、スピーカ４２からの音声案内、および、タッチパネル４３のディスプレイ表示の少なくとも何れか一つの態様でユーザに着信報知を行う。
【００９０】
（ステップＳ３０８）
続いて、報知制御部１３のタッチパネル制御部１７は、イベント履歴記憶部３２に記録された履歴情報を参照して、ユーザのタッチパネル４３への操作によって、着信相手への通話を開始することができるように、タッチパネル４３の表示をリダイヤルスタンバイの表示にする。
【００９１】
（ステップＳ３０９）
また、制御部１０の履歴管理部１２は、イベント履歴記憶部３２に記憶された未対応イベントの履歴を参照して、未対応イベントがメール履歴であるか否かを判定する。制御部１０の履歴管理部１２は、未対応イベントがメール履歴であると判定すると（ステップＳ３０９でＹＥＳ）、ステップＳ３１０に進む。制御部１０の履歴管理部１２は、未対応イベントがメール履歴ではないと判定した場合には、ステップＳ３０６に進む。
【００９２】
（ステップＳ３１０）
制御部１０の報知制御部１３は、履歴管理部１２がイベント履歴記憶部３２から読み出した未対応イベントの種別であるメール履歴に応じた報知方法でユーザに履歴を報知する。報知制御部１３は、報知部４０からユーザに未対応のメール履歴がある旨を知らせる着信報知を行う。
【００９３】
報知制御部１３は、振動制御部１４がバイブレーションユニット４１に供給する制御信号に応じてバイブレーションユニット４１を振動駆動させることで、ユーザにメール報知を行う。また、報知制御部１３は、音声出力制御部１５がスピーカ４２に供給する音声信号に応じてスピーカ４２から音声案内を行って、ユーザにメール報知を行う。また、報知制御部１３は、タッチパネル制御部１７がタッチパネル４３に供給する画像信号に応じてタッチパネル４３にディプスレイ表示を行って、ユーザにメール報知を行う。
【００９４】
このように、制御部１０の報知制御部１３は、バイブレーションユニット４１の振動駆動、スピーカ４２からの音声案内、および、タッチパネル４３のディスプレイ表示の少なくとも何れか一つの態様でユーザにメール報知を行う。
【００９５】
（ステップＳ３１１）
続いて、報知制御部１３のタッチパネル制御部１７は、イベント履歴記憶部３２に記録された履歴情報を参照して、ユーザが受信したメールの確認を容易に行うことができるように、タッチパネル４３の表示を受信メールの本文表示にする。
【００９６】
（ステップＳ３１２）
また、制御部１０の履歴管理部１２は、イベント履歴記憶部３２に記憶された未対応イベントの履歴を参照して、未対応イベントがアラーム履歴であるか否かを判定する。制御部１０の履歴管理部１２は、未対応イベントがアラーム履歴であると判定すると（ステップＳ３１２でＹＥＳ）、ステップＳ３１３に進む。制御部１０の履歴管理部１２は、未対応イベントがメール履歴ではないと判定した場合には、ステップＳ３０６に進む。
【００９７】
（ステップＳ３１３）
制御部１０の報知制御部１３は、履歴管理部１２がイベント履歴記憶部３２から読み出した未対応イベントの種別であるアラーム履歴に応じた報知方法でユーザに履歴を報知する。報知制御部１３は、報知部４０からユーザに未対応のアラーム履歴がある旨を知らせる着信報知を行う。
【００９８】
報知制御部１３は、振動制御部１４がバイブレーションユニット４１に供給する制御信号に応じてバイブレーションユニット４１を振動駆動させることで、ユーザにアラーム報知を行う。また、報知制御部１３は、音声出力制御部１５がスピーカ４２に供給する音声信号に応じてスピーカ４２から音声案内を行って、ユーザにアラーム報知を行う。また、報知制御部１３は、タッチパネル制御部１７がタッチパネル４３に供給する画像信号に応じてタッチパネル４３にディプスレイ表示を行って、ユーザにアラーム報知を行う。
【００９９】
このように、制御部１０の報知制御部１３は、バイブレーションユニット４１の振動駆動、スピーカ４２からの音声案内、および、タッチパネル４３のディスプレイ表示の少なくとも何れか一つの態様でユーザにアラーム報知を行う。
【０１００】
（ステップＳ３１４）
続いて、報知制御部１３のタッチパネル制御部１７は、イベント履歴記憶部３２に記録された履歴情報を参照して、ユーザがアラーム報知されたスケジュールの内容を容易に確認することができるように、タッチパネル４３の表示をスケジュール表示にする。
【０１０１】
〔付記事項〕
これらの構成によれば、情報処理装置１は、ユーザが対応しなかった未対応イベントが有る場合に、ユーザによって所定の振動パターンが与えられることで、未対応イベントの種別に応じた報知方法で履歴報知を行う。また、情報処理装置１は、未対応イベントに応じたディスプレイ表示を行う。例えば、未対応イベントが着信履歴だった場合には、情報処理装置１は、ユーザが着信相手への通話を開始することができるように、タッチパネル４３の表示をリダイヤルスタンバイの表示にする。また、例えば、未対応イベントがメール履歴だった場合には、情報処理装置１は、ユーザが受信したメールの確認を容易に行うことができるように、タッチパネル４３の表示を受信メールの本文表示にする。また、例えば、未対応イベントがアラーム履歴だった場合には、情報処理装置１は、ユーザがアラーム報知されたスケジュールの内容を容易に確認することができるように、タッチパネル４３の表示をスケジュール表示にする。このように情報処理装置１は、未対応イベントの種別に応じた画面を表示することによって、未対応イベントに関する履歴情報を報知するため、未対応イベントに対してユーザが容易に対応することができる。よって、ユーザは、情報処理装置１に所定の振動パターンを与えるという簡単な操作で、未対応イベントの種別を認識しやすく、履歴を容易に確認することができ、且つ、未対応イベントに容易に対応することができる。
【０１０２】
なお、種別の異なる複数の未対応イベントが有る場合には、報知制御部１３は、予め設定されている未対応イベントの優先順位に応じて（例えば上述のステップＳ３０８→ステップＳ３１１→ステップＳ３１４の順で）、未対応イベントの履歴の報知と、ユーザが当該未対応イベントに対応し易くするための各処理を行う構成であってもよい。未対応イベントの優先順位は、例えば、情報処理装置１に予め初期設定されている構成であってもよいし、ユーザが任意に設定可能な構成であってもよい。
【０１０３】
〔ソフトウェアによる実現例〕
情報処理装置１の制御ブロック（特に振動検出部１１、履歴管理部１２、および、報知制御部１３）は、集積回路（ＩＣチップ）等に形成された論理回路（ハードウェア）によって実現してもよいし、ＣＰＵ（Ｃｅｎｔｒａｌ  Ｐｒｏｃｅｓｓｉｎｇ  Ｕｎｉｔ）を用いてソフトウェアによって実現してもよい。
【０１０４】
後者の場合、情報処理装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Ｒｅａｄ  Ｏｎｌｙ  Ｍｅｍｏｒｙ）または記憶装置（これらを「記録媒体」と称する）、上記プログラムを展開するＲＡＭ（Ｒａｎｄｏｍ  Ａｃｃｅｓｓ  Ｍｅｍｏｒｙ）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０５】
〔まとめ〕
本発明の態様１に係る情報処理装置１は、制御部１０と、加速度センサ２０と、報知部４０と、記憶部３０と、を備えた情報処理装置１であって、上記制御部１０は、ユーザが対応しなかった未対応イベントに関する履歴を管理し、上記未対応イベントに関する履歴情報を上記記憶部３０に記録し、上記加速度センサ２０が検出した検出した振動パターンに応じて、上記履歴を参照して、上記未対応イベントに関する履歴情報を上記報知部４０に報知させる。
【０１０６】
上記の構成によれば、情報処理装置１に所定の振動パターンで振動を与えるという簡単な操作で、ユーザが対応しなかった未対応イベントに関する履歴情報が報知される。これにより、ユーザは、履歴を容易に確認することができる。例えば、ユーザは、情報処理装置１をポケットや鞄から取り出すことなく、情報処理装置１に所定の振動を与えることで、未対応イベントの有無を含む、未対応イベントに関する履歴を容易に確認することができる。
【０１０７】
本発明の態様２に係る情報処理装置１は、上記の態様１において、上記報知部４０は、バイブレーションユニット４１と、スピーカ４２と、であり、上記制御部１０は、上記バイブレーションユニット４１による振動、および、上記スピーカ４２からの音声出力の少なくとも何れか一方の態様で上記未対応イベントに関する履歴情報を報知する構成としてもよい。また、上記制御部１０の上記報知制御部１３が、上記バイブレーションユニット４１による振動、および、上記スピーカ４２からの音声出力の少なくとも何れか一方の態様で上記未対応イベントに関する履歴情報を報知する構成であってもよい。
【０１０８】
上記の構成によれば、所定の振動パターンで振動を与えるという簡単な操作で、情報処理装置１により、未対応イベントに関する履歴情報がバイブレーションユニット４１による振動、および、スピーカ４２からの音声出力の少なくとも何れか一方の態様で報知される。よって、ユーザは、簡単な操作で、バイブレーションユニット４１による振動、および、スピーカ４２からの音声出力の少なくとも何れか一方の態様で未対応イベントに関する履歴を容易に確認することができる。
【０１０９】
本発明の態様３に係る情報処理装置１は、上記の態様１または２において、上記制御部１０は、上記未対応イベントの種別に応じた報知方法にて上記履歴情報を報知する構成としてもよい。また、上記制御部１０の上記報知制御部１３が、上記未対応イベントの種別に応じた報知方法にて上記履歴情報を報知する構成であってもよい。
【０１１０】
上記の構成によれば、未対応イベントに関する履歴情報が、未対応イベントの種別に応じた報知方法で報知されるため、ユーザは、情報処理装置１をポケットや鞄から取り出すことなく、情報処理装置１に所定の振動を与えるという簡単な操作で、未対応イベントの種別、および、その履歴に関する情報を容易に知ることができる。
【０１１１】
本発明の態様４に係る情報処理装置１は、上記の態様１から３の何れかにおいて、上記制御部１０は、上記未対応イベントの種別に応じた画面を表示することによって上記未対応イベントに関する履歴情報を報知する構成としてもよい。また、上記制御部１０の上記報知制御部１３が、上記未対応イベントの種別に応じた画面を表示することによって上記未対応イベントに関する履歴情報を報知する構成であってもよい。
【０１１２】
上記の構成によれば、未対応イベントに関する履歴情報は、未対応イベントの種別に応じた画面を表示することで報知されるため、ユーザは、未対応イベントに関する履歴を確認し、必要があれば、すぐに画面に対する操作を行って未対応イベントに対応することができる。よって、未対応イベントの履歴の確認と、未対応イベントに対する対応とを容易に行うことができ、ユーザの利便性が向上する。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１４】
１  情報処理装置
１Ａ、１Ｂ  携帯型端末
５  通信網
１０  制御部
１１  振動検出部
１２  履歴管理部
１３  報知制御部
１４  振動制御部
１５  音声出力制御部
１７  タッチパネル制御部
１８  通信部
２０  加速度センサ
３０  記憶部
３１  所定パターン記憶部
３２  イベント履歴記憶部（履歴記憶部）
４０  報知部
４１  バイブレーションユニット
４２  スピーカ
４３  タッチパネル
【図１】
2018198371.tif 000003
【図２】
2018198371.tif 000004
【図３】
2018198371.tif 000005
【図４】
2018198371.tif 000006
【図５】
2018198371.tif 000007
【図６】
2018198371.tif 000008